(57)【特許請求の範囲】
【請求項１】
染色に適する媒体中に、
・３−メチル−パラ−アミノフェノール、２−メチル−パラ−アミノフェノールおよび２−ヒドロキシメチル−パラ−アミノフェノールならびにこれらの酸付加塩から選択する少くとも一つの酸化染料前駆体、
・カップラーとしての少くとも一つの２−メチル−５−アミノフェノールまたはその酸付加塩、および
・式（Ｉ）
【化１】
0003746794.tif 000009
（式中、同じであるか異なるＲ1、Ｒ2、Ｒ3は水素またはハロゲン原子、アルキル、アルコキシ、カルボキシ、スルホまたはＣ1〜Ｃ4ヒドロキシアルキル基を表わし；同じであるか異なるＲ4およびＲ5は水素原子、アルキル、ヒドロキシアルキル、アルコキシアルキル、カルバミルアルキル、メシルアミノアルキル、アセチルアミノアルキル、ウレイドアルキル、カルボアルコキシアミノアルキル、スルホアルキル、ピペリジノアルキル、モルホリノアルキル基または、必要ならばアミノ基によってパラ位置において置換されているフェニル基を表わし；あるいはまた、Ｒ4およびＲ5はこれらが結合する窒素原子とともにピペリジノまたはモルホリノ複素環を形成するが、ただしＲ4およびＲ5が水素原子を表わさない場合にはＲ1またはＲ3が水素原子を表わし、またＲ1、Ｒ2およびＲ3が水素原子を表わす場合には基Ｒ4およびＲ5の一つは水素でなく、またＲ4およびＲ5が水素原子を表わしかつＲ1、Ｒ2またはＲ3の一つがメチル基を表わす場合、他の二つのうちの少くとも一つは水素でなく、上記に示したアルキルまたはアルコキシの炭素数は１〜４である）のパラ−フェニレンジアミンおよび式（ＩＩ）
【化２】
0003746794.tif 000010
（式中、同じであるか異なるＺ1およびＺ2はヒドロキシル基またはＮＨＲ9を表わし、Ｒ9が水素原子またはアルキル基である；同じであるか異なるＲ7およびＲ8は、水素またはハロゲン原子、あるいはアルキル基を表わし、Ｒ6は水素原子、アルキル、ヒドロキシアルキル基または、アミノ残基が置換されていてよいアミノアルキル基を表わし；Ｙは、ｎが０〜８の整数であり、ｍが０〜４の整数であるとして、（ＣＨ2）n−，−（ＣＨ2）m−Ｏ−（ＣＨ2）m−，−（ＣＨ2）m−ＣＨＯＨ−（ＣＨ2）m−，−（ＣＨ2）m−Ｎ（ＣＨ3）−（ＣＨ2）m−を表わし、上記に示したアルキルの炭素数は１〜４である）のビス−フェニルアルキレンジアミンならびにこれらの酸付加塩から選択する少くとも一つの酸化染料前駆体を含有することを特徴とする、ケラチン繊維のための染色組成物。
【請求項２】
パラ型の酸化染料前駆体は、３−メチル−パラ−アミノフェノールまたはこれの酸付加塩である、請求項１記載の染色組成物。
【請求項３】
２，６−ジメチル−パラ−フェニレンジアミン、２−ヒドロキシメチル−パラ−フェニレンジアミン、２−β−ヒドロキシエチル−パラ−フェニレンジアミン、２−ｎ−プロピル−パラ−フェニレンジアミン、２−イソプロピル−パラ−フェニレンジアミン、Ｎ−（β−ヒドロキシプロピル）−パラ−フェニレンジアミン、Ｎ，Ｎ−ジ−（β−ヒドロキシエチル）−パラ−フェニレンジアミン、４−アミノ−Ｎ−（β−メトキシエチル）アニリンのうちから選択するパラ−フェニレンジアミンおよびこれの酸付加塩を含有する、請求項１または２に記載の染色組成物。
【請求項４】
式（ＩＩ）のビス−フェニルアルキレンジアミンが、Ｎ，Ｎ′−ビス−（β−ヒドロキシエチル）−Ｎ，Ｎ′−ビス−（４−アミノフェニル）−１，３−ジアミノ−２−プロパノールまたはこの酸付加塩である、請求項１から３のいずれか１項に記載の染色組成物。
【請求項５】
第１の区画部に請求項１から４のいずれか１項に記載の組成物（Ａ）が入っており、そして第２の区画部に染色に適する媒体中に酸化剤を含有する組成物（Ｂ）が入っている少くとも二つの区画部のあることを特徴とする、複数の区画部を有する用具または染色キット。
【発明の詳細な説明】
【０００１】
【産業上の利用分野】
本発明は少くとも一つのパラ−アミノフェノール、２−メチル５−アミノフェノールおよび少くとも一つのパラフェニレンジアミンおよび（または）ビス−フェニルアルキレンジアミンを組合わせて含有する、ケラチン繊維特にヒトのケラチン繊維の染色組成物、およびこの組成物を用いそして酸化剤によって発色する染色方法に関する。
【０００２】
【従来の技術】
一般に「酸化ベース」とも称される酸化染料前駆体特にオルト−またはパラフェニレンジアミン、オルト−またはパラ−アミノフェノール、および変色ジアミン、メタ−アミノフェノールおよびメタジフェノールを含有し、酸化ベースの縮合生成物によって得られる「基礎的染色」を変色しそして反射色を豊かにすることのできる染色組成物によって、ケラチン繊維特にヒトの毛髪を染色することが知られている。
【０００３】
酸化染毛の分野においては、光線、洗浄、悪天候、発汗および毛髪に対してなされる種々な処理に関して満足すべき抵抗力のある色を毛髪に与えそして広範囲の色合いをだすことのできる、酸化染料前駆体およびカップラーが研究されている。
【０００４】
【発明が解決しようとする課題】
３−メチルパラ−アミノフェノール、およびこれをカップラーとしての２−メチル５−アミノフェノールと、パラ−フェニレンジアミンまたは２，５−ジアミノトルエンを組合わせてケラチン繊維用の染色組成物中に使用することは知られており、また米国特許第４，８８３，６５６号明細書中に記載されている。
しかしながら、このような組合わせによるとき、ケラチン繊維への適用後に十分に抵抗力のある染色は得られない。
【０００５】
【課題を解決するための手段】
本発明は、カップラーとしての２−メチル５−アミノフェノールおよび酸化染料前駆体としての、後記に規定する式（Ｉ）または（ＩＩ）の少くとも一つのパラフェニレンジアミンおよび（または）ビス−フェニルアルキレンジアミンと組合わせて、３−メチルパラ−アミノフェノール、２−メチルパラ−アミノフェノールおよび（または）２−ヒドロキシメチルパラ−アミノフェノールを酸化染料前駆体として使用することによって、ケラチン繊維特にヒトの毛髪への適用の後、赤色または銅色の色合いを有し、また光線、洗浄、悪天候、発汗および毛髪に対してなされる種々な処理に関して良好な抵抗力を示す染色を、酸化剤の存在下で酸性またはアルカリ性媒体中で得ることが可能なことを発見しており、そしてこのことが本発明の目的をなす。
【０００６】
従って本発明は、染色に適する媒体中に、
・３−メチルパラ−アミノフェノール、２−メチルパラ−アミノフェノールおよび２−ヒドロキシメチルパラ−アミノフェノールならびにこれらの酸付加塩のうちから選択する少くとも一つの酸化染料前駆体、
・カップラーとしての少くとも一つの２−メチル５−アミノフェノールまたはこれの酸付加塩、および
・後記の式（Ｉ）および（ＩＩ）のパラフェニレンジアミンおよびビス−フェニルアルキレンジアミン、ならびにこれらの酸付加塩のうちから選択する少くとも一つの酸化染料前駆体
を含有する、ケラチン繊維特に毛髪のようなヒトのケラチン繊維の染色組成物を目的とする。
【０００７】
本発明は、第１の成分が酸化染料前駆体と上記に規定したカップラーとを含有し、また第２の成分が酸化剤を含有する、複数の成分を有する染色剤もまた目的とする。
【０００８】
本発明の別な目的は、ケラチン繊維の染色に使用する上記に規定した種々な薬剤と酸化剤とをアルカリ性または酸性媒体中に含有する、直ちに使用できる組成物に関する。
【０００９】
本発明は、ケラチン繊維特に毛髪のようなヒトのケラチン繊維に、
・３−メチルパラ−アミノフェノール、２−メチルパラ−アミノフェノールおよび２−ヒドロキシメチルパラ−アミノフェノールおよびこれらの酸付加塩、
・カップラーとしての少くとも一つの２−メチル５−アミノフェノールまたはこれの酸付加塩、
・酸化染料前駆体としての、下記に規定する式（Ｉ）の少くとも一つのパラフェニレンジアミンおよび（または）後記に規定する式（ＩＩ）の少くとも一つのビス−フェニルアルキレンジアミンまたはこれらの酸付加塩。
を適用し、酸性またはアルカリ性媒体中で酸化剤によって発色することからなるケラチン繊維の染色方法もまた企図する。
【００１０】
本発明による場合、前記したパラ−アミノフェノール型の前駆体のうち、３−メチルｐ−アミノフェノールが好ましい。
【００１１】
本発明において使用できるパラフェニレンジアミンは式（Ｉ）
【化３】
0003746794.tif 000002
（式中、同じであるか異なるＲ1 、Ｒ2 、Ｒ3 は水素またはハロゲン原子、アルキル、アルコキシ、カルボキシ、スルホまたはＣ1 〜Ｃ4 ヒドロキシアルキル基を表わし；同じであるか異なるＲ4 およびＲ5 は水素原子、アルキル、ヒドロキシアルキル、アルコキシアルキル、カルバミルアルキル、メシルアミノアルキル、アセチルアミノアルキル、ウレイドアルキル、カルボアルコキシアミノアルキル、スルホアルキル、ピペリジノアルキル、モルホリノアルキル基または、必要ならばアミノ基によってパラ位置において置換されているフェニル基を表わし；あるいはまた、Ｒ4 およびＲ5 はこれらが結合する窒素原子とともにピペリジノまたはモルホリノ複素環を形成するが、ただしＲ4 およびＲ5 が水素原子を表わさない場合にはＲ1 またはＲ3 が水素原子を表わし、またＲ1 、Ｒ2 、およびＲ3 が水素原子を表わす場合には基Ｒ4 およびＲ5 の一つは水素でなく、またＲ4 およびＲ5 が水素原子を表わしかつＲ1 、Ｒ2 またはＲ3 の一つがメチル基を表わす場合、他の二つのうちの少くとも一つは水素でない）に相当する。これらのアルキルまたはアルコキシ基は炭素原子１〜４個をもつのが好ましくまた特にメチル、エチル、プロピル、メトキシおよびエトキシ基を表わす。
【００１２】
式（Ｉ）の化合物のうち、メトキシパラフェニレンジアミン、クロロパラフェニレンジアミン、２，３−ジメチルパラフェニレンジアミン、２，６−ジメチルパラフェニレンジアミン、２，６−ジエチルパラフェニレンジアミン、２，５−ジメチルパラフェニレンジアミン、２−メチル５−メトキシパラフェニレンジアミン、２，６−ジメチル５−メトキシパラフェニレンジアミン、Ｎ，Ｎ−ジメチルパラフェニレンジアミン、Ｎ，Ｎ−ジエチルパラフェニレンジアミン、Ｎ，Ｎ−ジプロピルパラフェニレンジアミン、３−メチル４−アミノＮ，Ｎ−ジエチルアニリン、Ｎ，Ｎ−ジ−（β−ヒドロキシエチル）パラフェニレンジアミン、３−メチル４−アミノＮ，Ｎ−ジ−（β−ヒドロキシエチル）アニリン、３−クロロ４−アミノＮ，Ｎ−ジ−（β−ヒドロキシエチル）アニリン、４−アミノＮ，Ｎ−（エチル，カルバミルメチル）アニリン、３−メチル４−アミノＮ，Ｎ−（エチル，カルバミルメチル）アニリン、４−アミノＮ，Ｎ−（エチル，β−ピペリジノエチル）アニリン、３−メチル４−アミノＮ，Ｎ−（エチル，β−ピペリジノエチル）アニリン、４−アミノＮ，Ｎ−（エチル，β−モルホリノエチル）アニリン、３−メチル４−アミノＮ，Ｎ−（エチル，β−モルホリノエチル）アニリン、４−アミノＮ，Ｎ−（エチル，β−アセチルアミノエチル）アニリン、４−アミノＮ−（β−メトキシエチル）アニリン、３−メチル４−アミノＮ，Ｎ−（エチル，β−アセチルアミノエチル）アニリン、４−アミノＮ，Ｎ−（エチル，β−メシルアミノエチル）アニリン、３−メチル４−アミノＮ，Ｎ−（エチル，β−メシルアミノエチル）アニリン、４−アミノＮ，Ｎ−（エチル，β−スルホエチル）アニリン、３−メチル４−アミノＮ，Ｎ−（エチル，β−スルホエチル）アニリン、Ｎ−〔（４′−アミノ）フェニル〕−モルホリン、Ｎ−〔（４′−アミノ）フェニル〕ピペリジン、２−β−ヒドロキシエチルパラフェニレンジアミン、フルオロパラフェニレンジアミン、カルボキシパラフェニレンジアミン、スルホパラフェニレンジアミン、２−イソプロピルパラフェニレンジアミン、２−ｎ−プロピルパラフェニレンジアミン、Ｎ−（β−ヒドロキシプロピル）パラフェニレンジアミン、２−ヒドロキシメチルパラフェニレンジアミン、Ｎ，Ｎ−ジメチル３−メチルパラフェニレンジアミン、Ｎ，Ｎ−（エチル，β−ヒドロキシエチル）パラフェニレンジアミン、Ｎ−（ジヒドロキシプロピル）パラフェニレンジアミン、Ｎ−（４′−アミノフェニル）パラフェニレンジアミン、Ｎ−フェニルパラフェニレンジアミンを特にあげることができる。
【００１３】
これらのパラフェニレンジアミンは遊離の塩基の形で、あるいは塩酸塩、臭化水素酸塩または硫酸塩のような塩の形で使用されてよい。
【００１４】
式（ＩＩ）の化合物のうち２，６−ジメチルパラフェニレンジアミン、２−ヒドロキシメチルパラフェニレンジアミン、２−β−ヒドロキシエチルパラフェニレンジアミン、２−ｎ−プロピルパラフェニレンジアミン、２−イソプロピルパラフェニレンジアミン、Ｎ−（β−ヒドロキシプロピル）パラフェニレンジアミン、Ｎ，Ｎ−ジ−（β−ヒドロキシエチル）パラフェニレンジアミン、４−アミノＮ−（β−メトキシエチル）アニリンおよびこれらの塩が好ましい。
【００１５】
いわゆる複塩基は式
【化４】
0003746794.tif 000003
（式中、同じであるか異なるＺ1 およびＺ2 はヒドロキシル基または、Ｒ9 が水素原子または低級アルキル基であるとしてＮＨＲ9 を表わし；同じであるか異なるＲ7 およびＲ8 は、水素またはハロゲン原子、あるいはアルキル基を表わし、Ｒ6 は水素原子、アルキル、ヒドロキシアルキル基または、アミノ残基が置換されていてよいアミノアルキル基を表わし；Ｙは、ｎが０〜８の整数であり、ｍが０〜４の整数であるとして、−（ＣＨ2 ）n −，−（ＣＨ2 ）m −Ｏ−（ＣＨ2 ）m −，−（ＣＨ2 ）m −ＣＨＯＨ−（ＣＨ2 ）m −，−（ＣＨ2 ）m −Ｎ（ＣＨ3 ）−（ＣＨ2 ）m −を表わす）に相当するビス−フェニルアルキレンジアミンであり、この塩基はそれの酸付加塩の形をとってもよい。
【００１６】
上記に示したアルキルまたはアルコキシ基は、炭素原子１〜４個を有する基、特にメチル、エチル、プロピル、メトキシおよびエトキシ基を表わすのが好ましい。
【００１７】
式（ＩＩ）の化合物のうち、Ｎ，Ｎ′−ビス−（β−ヒドロキシエチル）Ｎ，Ｎ′−ビス−（４′−アミノフェノール）１，３−ジアミノ２−プロパノール、Ｎ，Ｎ′−ビス−（β−ヒドロキシエチル）Ｎ，Ｎ′−ビス−（４′−アミノフェニル）エチレンジアミン、Ｎ，Ｎ′−ビス（４−アミノフェニル）テトラメチレンジアミン、Ｎ，Ｎ′−ビス−（β−ヒドロキシエチル）Ｎ，Ｎ′−ビス−（４−アミノフェニル）テトラメチレンジアミン、Ｎ，Ｎ′−ビス−（４−メチルアミノフェニル）テトラメチレンジアミン、Ｎ，Ｎ′−ビス−（エチル）Ｎ，Ｎ′−ビス−（４′−アミノ３′−メチルフェニル）エチレンジアミンおよびこれらの塩をあげることができる。
Ｎ，Ｎ′−ビス−（β−ヒドロキシエチル）Ｎ，Ｎ′−ビス−（４′−アミノフェニル）１，３−ジアミノ２−プロパノールが特に好ましい。
【００１８】
本発明の方法においては、染色に適する媒体中に、
・３−メチルパラ−アミノフェノール、２−メチルパラ−アミノフェノール、２−ヒドロキシメチルパラ−アミノフェノールおよびこれらの酸付加塩のうちから選択する少くとも一つの酸化染料前駆体、
・カップラーとしての２−メチル５−アミノフェノールまたはこれの塩、
・酸化染料前駆体としての少くとも一つの式（Ｉ）のパラフェニレンジアミンおよび（または）式（ＩＩ）のビス−フェニルアルキレンジアミンまたはこれらの塩
を含有する少くとも一つの組成物（Ａ）をヒトのケラチン繊維に適用し、そしてこの組成物（Ａ）に使用の直前に添加される酸化剤、あるいは同時にまたは逐次的に別々に適用される組成物（Ｂ）中に存在する酸化剤を用いて酸性またはアルカリ性の環境下で発色する。
【００１９】
本発明は上記した方法を実施することを可能にする複数の区画部を有する染色用具またはキットもまた目的とする。
このような染色キットには少くとも二つの区画部があり，その第１には前記に規定したごとき組成物（Ａ）が、そして第２の区画部には染色に適する媒体中に酸化剤を含有する組成物（Ｂ）が入っている。
本発明の他の目的は本記載および後続する実施例を閲読すれば明白となろう。
【００２０】
本発明で使用する酸の塩は塩酸塩、硫酸塩、臭化水素酸塩および酒石酸塩のうちから選択する。
３−メチルパラ−アミノフェノール、２−メチルパラ−アミノフェノールおよび２−ヒドロキシメチルパラ−アミノフェノールまたはこれらの塩は、組成物の全重量に対して０．０１〜４重量％、望ましくは０．１〜２重量％の全濃度で存在する。
【００２１】
２−メチル５−アミノフェノールおよびその塩は染色組成物の全重量に対して０．００５〜５重量％、望ましくは０．０１〜３．５重量％にあたる。
パラフェニレンジアミンおよび（または）ビス−フェニルアルキレンジアミンは、染色組成物の全重量に対して０．０１〜８重量％、望ましくは０．１〜４重量％にあたる。
【００２２】
本発明の場合、酸化染料前駆体とカップラーとの合計は、組成物の全重量に対して０．１〜１０重量％、望ましくは０．４〜７重量％にあたる。
酸化剤は、過酸化水素、過酸化尿素、アルカリ金属の臭素酸塩、過酸塩例えば過硼素酸塩および過硫酸塩のうちから選択するのが好ましい。過酸化水素が特に好ましい。
【００２３】
前記したごとき染料の組合わせを含む組成物（Ａ）は、３〜１０．５の範囲のｐＨを有してよく、ｐＨは、ケラチン繊維の染色に通常使用するアルカリ剤例えばアンモニア、アルカリ炭酸塩、アルカノールアミン例えばモノ−、ジ−およびトリエタノールアミンおよびこれらの誘導体、水酸化ナトリウムまたはカリウム、式
【化５】
0003746794.tif 000004
（式中、Ｒはヒドロキシル基またはＣ1 〜Ｃ4 アルキル基によって必要なら置換されているプロピレン残基であり、Ｒ1 、Ｒ2 、Ｒ3 およびＲ4 は同時にまたは互いに独立に水素原子、Ｃ1 〜Ｃ4 アルキル基またはＣ1 〜Ｃ4 ヒドロキシアルキル基を表わす）の化合物を用い、あるいは無機または有機酸例えば塩酸、酒石酸、クエン酸および燐酸のような標準的な酸性剤を用いて、所定の値に調整することができる。
【００２４】
前記に規定した酸化剤を含有する組成物（Ｂ）のｐＨは、組成物（Ａ）との混合の後、ヒトのケラチン繊維上に適用する組成物のｐＨが望ましくは３〜１１の間にあるようなものである。ｐＨは、上記したごとき技術上周知の酸性剤または必要ならばアルカリ剤によって所望の値に調整される。
酸化組成物（Ｂ）は過酸化水素溶液からなるのが望ましい。
【００２５】
本発明の染色方法の好ましい実施態様においては、前記した染色組成物（Ａ）を発色するのに十分な量の酸化溶液と使用時に混合する。得られる混合物を次いでヒトのケラチン繊維に適用しそして５〜４０分間、望ましくは１５〜３０分間放置し、その後毛髪をリンスし、シャンプー洗浄し、改めてリンスしそして乾燥する。
【００２６】
本発明においては、特に、酸化染料前駆体によってもたらせる染色に色合いを与えまたはその反射色を豊かにするために、染色組成物は前記に規定した染料に加えて他のカップラーおよび（または）直接染料を含有してよい。
【００２７】
このカップラーはそれ自体周知であり、
互いにメタの位置にあり、必要なら変性されている少くとも二つのヒドロキシおよび（または）アミノ置換基を有し、そして式（Ｉ）の２−メチル５−アミノフェノールおよび式（ＩＩ）のメタフェニレンジアミンとは異なるベンゼン化合物；α−ナフトール；インドール誘導体；β−ケトン化合物のように活性メチレン基を有するカップラー；ピラゾロン；およびこれらの塩のうちから選択する。
直接染料はアゾ染料、アントラキノン染料またはベンゼン系列のニトロ誘導体であるのが好ましい。
【００２８】
望ましい実施態様において本発明の染色組成物は、陰イオン、陽イオン、非イオン、両性界面活性剤またはこれらの混合物を含有する。これらの界面活性剤のうち、脂肪族アルコールのアルキルベンゼンスルホネート、アルキルナフタレンスルホネート、サルフェートエーテルサルフェートおよびスルホネート、アルキルポリグリコシド、第４級アンモニウム塩、トリメチルセチルアンモニウムの臭化物、セチルピリジニウムの臭化物、必要ならオキシエチレン化した脂肪酸のエタノールアミド、それぞれポリオキシエチレン化した酸、アルコールおよびアミン、ポリグリセロール化した脂肪族アルコール、ポリオキシエチレン化またはポリグリセロール化したアルキルフェノール、およびポリオキシエチレン化したアルキルサルフェートをあげることができる。
【００２９】
これらの界面活性剤は組成物の全重量に対して０．５〜５５重量％、望ましくは２〜５０重量％の割合で本発明の組成物中に存在する。
【００３０】
本発明の組成物は、水中に十分に可溶でない化合物を溶解化するための有機溶媒も含有してよい。この溶媒のうち、例えばエタノールおよびイソプロパノールのようなＣ1 〜Ｃ4 低級アルコール；グリセロール；グリコールまたはグリコールエーテル例えば２−ブトキシエタノール、プロピレングリコール、ジエチレングリコールのモノエチルエーテルおよびモノメチルエーテル、ならびに芳香族アルコール例えばベンジルアルコールまたはフェノキシエタノール、これらに類似する化合物およびそれらの混合物を例としてあげることができる。
【００３１】
溶媒は組成物の全重量に対して１〜４０重量％、特に５〜３０重量％の割合で存在するのが好ましい。
【００３２】
本発明による組成物中に添加できる増粘剤は、アルギン酸ナトリウム、アラビアガム、必要なら架橋されているアクリル酸ポリマー、セルロース誘導体、キサンタンガムのようなヘテロバイオポリサッカライドのうちから選択することができ、ベントナイトのような無機増粘剤も使用できる。
【００３３】
これらの増粘剤は、組成物の全重量に対して０．１〜５重量％、特に０．２〜３重量％の割合で存在するのが好ましい。
【００３４】
本組成物中に存在してよい酸化防止剤は、亜硫酸ナトリウム、チオグリコール酸、チオ乳酸、重亜硫酸ナトリウム、デヒドロアスコルビン酸、ハイドロキノン、２−メチルハイドロキノン、第３ブチルハイドロキノンおよびホモゲンチシン酸のうちから選択する。
【００３５】
これらの酸化防止剤は、組成物の全重量に対して０．０５〜１．５重量％の割合で組成物中に存在する。
【００３６】
本組成物は例えば浸透剤、金属イオン封鎖剤、香料、緩衝剤、分散剤、処理剤、コンディショナー、膜形成剤、保存剤および不透明化剤のような香粧品として許容できる補助剤も含有してよい。
【００３７】
毛髪に適用する組成物は、液体、クリーム、ゲルの形またはケラチン繊維特にヒトの毛髪の染色を実施するのに適する別な形のような種々の形をとってよい。本組成物は、推進剤の存在でエアロゾル容器内に加圧下で包装されてよくそしてムースを形成できる。
【００３８】
【実施例】
以下の諸例は限定的な性格をなんらもつことなく本発明を説明する。
【００３９】
塩基性ｐＨでの染色
下記の染色組成物を調製する。
0003746794.tif 000005
使用時に、この混合物を等重量の、ｐＨが３の２０容強度（６重量％）の過酸化水素と混合する。
下記の表に示すｐＨを有する混合物を得る。
この混合物を白髪が９０％の自然なままのまたはパーマをかけた灰色の毛髪に３０分間適用する。リンスし、シャンプー洗浄し、リンスしそして乾燥した後、毛髪は下表に示す色合いに染まる。
【表１】
0003746794.tif 000006
【００４０】
酸性のｐＨでの染色
例５および６下記の染色組成物を調製する。
0003746794.tif 000007
例５および例６の染色組成物の混合前のｐＨは８．８である。
使用時にこの混合物を等重量の２０容強度（６重量％）の過酸化水素と混合しそして過酸化水素１００ｇあたり１．７ｇのオルト燐酸を用いてｐＨを１．４に調整する。
下記の表に示すｐＨを有する混合物を得る。
この混合物を毛髪に３０分間適用する。リンスし、シャンプ−洗浄し、リンスしそして乾燥した後、毛髪は下表に示す色合いに染まる。
【表２】
0003746794.tif 000008